(57)【要約】      （修正有）【課題】集合継手管を含む配管に、ライニングクロス管や樹脂製チューブを用いてライニング施工を行う場合でも、施工後の良好な給排水機能を損なうことがない優れた配管ライニング方法を提供する。【解決手段】ライニングクロス管１０の施工後の除去工程で、ライニングクロス管１０の軸長部分１０Ｅを切除して集合継手管の外部に取り出しているので、軸長部分１０Ｅに起因して集合継手管が詰まるなどの不都合を生じることなく、ライニング施工が可能となり、施工後の良好な給排水機能を長期にわたって維持することができる。【選択図】図２
2010167688.tif 000002
【特許請求の範囲】
【請求項１】
液状の塗料が含浸されて表裏に反転可能なライニングクロス管を配管内に押込めて、表裏に反転させた前記ライニングクロス管の内周面を前記配管の内壁に密着させながら、反転状態で前記配管の奥行方向に移動させてライナー層を形成する配管ライニング方法において、
前記配管は、内部に突出部を有する集合継手管を含み、前記ライニングクロス管のうち前記集合継手管の内壁に軸方向全長にわたって所在する軸長部分を前記配管と前記集合継手管との境界箇所で切除して、前記集合継手管の外部に取り出す除去工程を設けたことを特徴とする配管ライニング方法。
【請求項２】
前記ライニングクロス管に応じた長さ寸法を有し、前記配管に対する前記ライナー層の施工時、前記ライニングクロス管の外周部を被覆して前記ライニングクロス管とともに反転移動し、反転後の前記ライニングクロス管の内周部に密着する樹脂製チューブを備え、前記樹脂製チューブも、前記除去工程で前記ライニングクロス管の前記軸長部分に相当する長さ部分だけ切除して、外部に取り出すことを特徴とする請求項１に記載の配管ライニング方法。
【請求項３】
液状の塗料が含浸されて表裏に反転可能なライニングクロス管を配管内に押込めて、表裏に反転させた前記ライニングクロス管の内周面を前記配管の内壁に密着させながら、反転状態で前記配管の奥行方向に移動させてライナー層を形成する配管ライニング方法において、
前記配管は、内部に突出部を有する集合継手管を含み、前記ライニングクロス管のうち前記集合継手管の内壁に軸方向全長にわたって所在する軸長部分を前記配管と前記集合継手管との境界箇所に、切離可能な細溝状の薄肉部を予め設けておき、前記軸長部分には、軸方向に沿って複数の薄肉部を予め設け、
前記軸長部分の内周部には、予め熱収縮性の締付チューブを接触状態に設けておき、ライニングクロス管の反転移動に伴い、前記締付チューブが反転し、前記集合継手管の内壁に当接しながら前記軸長部分の外周部を接触状態に覆い、
前記ライニングクロス管の施工後、前記締付チューブを熱湯などで加温することにより、前記締付チューブが収縮変位して、前記軸長部分が前記締付チューブから収縮圧を受けて前記薄肉部で圧潰させる除去工程を設けたことを特徴とする配管ライニング方法。
【請求項４】
前記ライニングクロス管のうち前記軸長部分には、当初から塗料を含浸させない非付着部分としたことを特徴とする請求項１ないし請求項３のいずれかに記載の配管ライニング方法。
【請求項５】
前記ライニングクロス管は、グラスファイバーおよびポリエチレンなどの化学繊維を含む可撓性の織布からなっていることを特徴とする請求項１あるいは請求項２に記載の配管ライニング方法。
【請求項６】
前記除去工程は、前記ライニングクロス管を前記配管内に押込めるに先立って行われ、前記ライニングクロス管の前記軸長部分は、予め切除されていることを特徴とする請求項２に記載の配管ライニング方法。
【請求項７】
外周部に接着剤が塗布されて表裏に反転可能な樹脂製チューブを配管内に押込めて、表裏に反転させた前記樹脂製チューブの内周面を前記配管の内壁に密着させながら、反転状態で前記配管の奥行方向に移動させて樹脂層を形成する配管ライニング方法において、
前記配管は、内部に突出部を有する集合継手管を含み、前記樹脂製チューブのうち前記集合継手管の内壁に軸方向全長にわたって所在する軸長部分を前記配管と前記集合継手管との境界箇所で切除して、前記集合継手管の外部に取り出す除去工程を設けたことを特徴とする配管ライニング方法。
【請求項８】
外周部に接着剤が塗布されて表裏に反転可能な樹脂製チューブを配管内に押込めて、表裏に反転させた前記樹脂製チューブの内周面を前記配管の内壁に密着させながら、反転状態で前記配管の奥行方向に移動させて樹脂層を形成する配管ライニング方法において、
前記配管は、内部に突出部を有する集合継手管を含み、前記樹脂製チューブのうち前記集合継手管の内壁に軸方向全長にわたって所在する軸長部分には、前記集合継手管の前記突出部に対応する切込みスリット部を形成していることを特徴とする配管ライニング方法。
【請求項９】
前記樹脂製チューブの内周面には、前記樹脂製チューブと一緒に反転する織布製チューブが同心的に配置され、前記織布製チューブの内周面および外周面に粘着剤が塗布されていることを特徴とする請求項７に記載の配管ライニング方法。
【発明の詳細な説明】
【技術分野】
【０００１】
本発明は、建造物の給排水管などの配管内にライニング層を施工する配管ライニング方法に係り、とりわけ配管が集合継手管を含む配管ライニング方法に関する。
【背景技術】
【０００２】
マンションや賃貸ビルなどの建造物では、給排水管などの配管の衛生と耐久性などを回復更生させるため、ライニング装置により配管の内壁を補修すべく所定の厚みの塗料をライナー層として施工している（例えば、本出願と同一出願人による特許文献１参照）。
【０００３】
特許文献１のライニング装置では、膨縮自在に設けられた落下傘状の袋体を用いているため、内部に旋回羽根や起伏部を備えた集合継手管にもライニング層を形成することが可能となっている。
一方、特許文献２のライニング装置も、本出願と同一出願人による発明であるが、表裏に反転可能なライニングクロス管を樹脂製チューブと一緒に索条体に連結している。
配管内に駆動圧を供給して索条体を繰出すに伴い、表裏に反転させたライニングクロス管の内周面を配管の内壁に密着させながら奥行方向に移動させてライナー層を形成している。このライニング装置においては、略均一な厚みで耐久性のある堅牢なライナー層を高い作業効率で施工できることから、優れた施工技術として配管更生業界から着目されている。
【先行技術文献】
【特許文献】
【０００４】
【特許文献１】特許第４１８１４０５号公報
【特許文献２】特許第４１８１４３９号公報
【発明の概要】
【発明が解決しようとする課題】
【０００５】
しかしながら、ライニングクロス管を反転させる特許文献２では、略均一な厚みで堅牢なライナー層が形成されるが、内部に起伏部を有する集合継手管の内壁をライニング施工するには十分でなかった。ライニングクロス管で集合継手管の内壁にライニング施工を行ってしまうと、ライニングクロス管自体が詰まりなどの原因となり、配管の給排水機能を損なう虞れがある。
【０００６】
本発明は上記事情に鑑みてなされたもので、その目的は、集合継手管を含む配管に、ライニングクロス管や樹脂製チューブを用いてライニング施工を行う場合でも、集合継手管が詰まるなどの不都合を生じることなく、ライニング施工が可能となり、施工後の良好な給排水機能を損なうことなく維持することができる優れた配管ライニング方法を提供することにある。
【課題を解決するための手段】
【０００７】
（請求項１について）
配管ライニング方法において、液状の塗料が含浸されて表裏に反転可能なライニングクロス管を配管内に押込めて、表裏に反転させたライニングクロス管の内周面を配管の内壁に密着させながら、反転状態で配管の奥行方向に移動させてライナー層を形成する。
配管は、内部に突出部を有する集合継手管を含む。除去工程を設けて、ライニングクロス管のうち集合継手管の内壁に軸方向全長にわたって所在する軸長部分を配管と集合継手管との境界箇所で切除して、集合継手管の外部に取り出す。
【０００８】
除去工程では、ライニングクロス管の軸長部分を切除して集合継手管の外部に取り出しているので、軸長部分に起因して集合継手管が詰まるなどの不都合を生じることなく、ライニング施工が可能となり、施工後の良好な給排水機能を損なうことなく維持することができる。
【０００９】
（請求項２について）
ライニングクロス管に応じた長さ寸法を有し、配管に対するライナー層の施工時、ライニングクロス管の外周部を被覆してライニングクロス管とともに反転移動し、反転後のライニングクロス管の内周部に密着する樹脂製チューブを備えている。樹脂製チューブも、除去工程でライニングクロス管の軸長部分に相当する長さ部分だけ切除して、外部に取り出す。
【００１０】
樹脂製チューブを設けた場合でも、除去工程でライニングクロス管の軸長部分と一緒に集合継手管の外部に取り出されるので、樹脂製チューブに起因して集合継手管が詰まるなどの不都合を生じることなく、ライニング施工が可能となり、施工後の良好な給排水機能を損なうことなく維持することができる。
【００１１】
（請求項３について）
配管は、内部に突出部を有する集合継手管を含み、ライニングクロス管のうち集合継手管の内壁に軸方向全長にわたって所在する軸長部分を配管と集合継手管との境界箇所に、切離可能な細溝状の薄肉部を予め設けておき、軸長部分には、軸方向に沿って複数の薄肉部を予め設ける。
軸長部分の内周部には、予め熱収縮性の締付チューブを接触状態に設けておき、ライニングクロス管の反転移動に伴い、締付チューブが反転し、集合継手管の内壁に当接しながら軸長部分の外周部を接触状態に覆う。
除去工程では、ライニングクロス管の施工後、締付チューブを熱湯などで加温することにより、締付チューブが収縮変位して、軸長部分が締付チューブから収縮圧を受けて薄肉部で圧潰させる。
【００１２】
除去工程で圧潰した軸長部分は、集合継手管から締付チューブに包まれて落下して配管の外部で収容されるため、請求項１と同様な効果が得られる。
【００１３】
（請求項４について）
ライニングクロス管のうち軸長部分には、当初から塗料を含浸させない非付着部分としているため、反転した軸長部分が集合継手管の内壁に付着しなくなり、除去工程で軸長部分を切除により切り離し易くなる。
【００１４】
（請求項５について）
ライニングクロス管は、グラスファイバーおよびポリエチレンなどの化学繊維を含む可撓性の織布からなっている。このため、ライニングクロス管は、堅牢で耐久性に優れたタフネスクロスとなり、更生補修後の配管に優れたライニング層を確保することができる。  
【００１５】
（請求項６について）
除去工程は、ライニングクロス管を配管内に押込めるに先立って行われ、ライニングクロス管の軸長部分は、予め切断除去されている。
これにより、集合継手管には、ライニングクロス管が配されることがなくなるので、請求項２と同様な効果が得られる。
【００１６】
（請求項７について）
配管ライニング方法において、外周部に接着剤が塗布されて表裏に反転可能な樹脂製チューブを配管内に押込めて、表裏に反転させた樹脂製チューブの内周面を配管の内壁に密着させながら、反転状態で配管の奥行方向に移動させて樹脂層を形成する。
配管は、内部に突出部を有する集合継手管を含む。除去工程では、樹脂製チューブのうち集合継手管の内壁に軸方向全長にわたって所在する軸長部分を配管と集合継手管との境界箇所で切除して、集合継手管の外部に取り出す。
【００１７】
樹脂製チューブは、集合継手管内の軸長部分で切除されるため、樹脂製チューブにより集合継手管が詰まるなどの不都合を生じることなく、ライニング施工が可能となり、施工後の良好な給排水機能を損なうことなく維持することができる。
【００１８】
（請求項８について）
配管ライニング方法において、外周部に接着剤が塗布されて表裏に反転可能な樹脂製チューブを配管内に押込めて、表裏に反転させた樹脂製チューブの内周面を配管の内壁に密着させながら、反転状態で配管の奥行方向に移動させて樹脂層を形成する。
配管は、内部に突出部を有する集合継手管を含む。樹脂製チューブのうち集合継手管の内壁に軸方向全長にわたって所在する軸長部分には、集合継手管の突出部に対応する切込みスリット部を形成している。
【００１９】
樹脂製チューブに切込みスリット部を形成しているので、樹脂製チューブを集合継手管に反転移動させる際、樹脂製チューブの切込みスリット部が突出部を通過させるようになる。このため、突出部が邪魔になることなく、樹脂製チューブが集合継手管の内壁に密着するようになり、施工後に樹脂製チューブにより集合継手管が詰まるなどの不都合を生じることがなくなる。
【００２０】
（請求項９について）
樹脂製チューブの内周面には、樹脂製チューブと一緒に反転する織布製チューブが同心的に配置され、織布製チューブの内周面および外周面に粘着剤が塗布されている。
この場合、織布製チューブの外周面は、樹脂製チューブの内周面に付着保持されており、反転時に織布製チューブの内周面は、配管の内壁に付着するため、樹脂製チューブを織布製チューブにより配管の内壁に強固に密着保持することができる。
【図面の簡単な説明】
【００２１】
【図１】（ａ）は、配管にライニングクロス管を施工する態様を示す縦断面図、（ｂ）は集合継手管の斜視図である（実施例１）。
【図２】（ａ）は、軸長部分を切除して取り出す態様を示す縦断面図（実施例１）、（ｂ）は要部の拡大縦断面図である（変形例）。
【図３】（ａ）は集合継手管およびその接続部の縦断面図、（ｂ）は（ａ）のＡ−Ａ線に沿う拡大横断面図、（ｃ）は集合継手管内で潰圧されて締付チューブに包まれた軸長部分を示す縦断面図である（実施例２）。
【図４】配管にライニングクロス管を施工する態様を示す縦断面図である（実施例３）。
【図５】軸長部分を切除して取り出す態様を示す縦断面図である（実施例３）。
【図６】配管に樹脂製チューブを施工する態様を示す縦断面図である（実施例４）。
【図７】軸長部分を切除して取り出す態様を示す縦断面図である（実施例４）。
【図８】集合継手管および樹脂製チューブを示す斜視図である（実施例５）。
【図９】樹脂製チューブ内に織布製チューブを同心的に重ねた状態を示す斜視図である（実施例６）。
【発明を実施するための形態】
【００２２】
本発明の配管ライニング方法では、集合継手管を含む配管に、ライニングクロス管や樹脂製チューブを用いてライニング施工する場合でも、集合継手管が詰まるなどの不都合を生じることなく、ライニング施工が可能となり、施工後の良好な給排水機能を損なうことなく維持することができるものである。
【実施例１】
【００２３】
図１および図２は本発明の実施例１を示す。図１（ａ）は、建物の排水管網におけるライニング施工例であり、排水管網としての配管６は、ライニング施工に先立って、クリーニングが行われ、流れ落ちた錆瘤やスケールなどの付着物は外部枡から万能配管更生車（図示せず）により回収される。
【００２４】
このライニング施工例における配管６は、高層ビル向けの配管工事に使用されており、上部集合管６Ａと下部集合管６Ｂとを有している。上部集合管６Ａと下部集合管６Ｂとの間は、図１（ｂ）にも示す集合継手管６Ｃにより接続されている。集合継手管６Ｃは、上部集合管６Ａや下部集合管６Ｂからの給排水を受けるため肉厚で高い強度で堅牢になっており、内壁６ｄには、流水速度緩和用の整流部（図示せず）や旋回羽根６ｅなどの突出部が形成されている。
【００２５】
クリーニング後には、後述のライニングクロス管１０を有する配管ライニング方法に基づいて、配管６に塗装をライナー層７として施す。
ライニング施工用の塗料は、彩色用の顔料やエポキシ樹脂などを含有した液状のものである。ライニングクロス管１０を作製するにあたっては、配管６の内径に見合った寸法で、グラスファイバーおよびポリエチレンなどの化学繊維を含む可撓性の織布からタフネスクロス（厚み１〜４ｍｍ）を構成する。タフネスクロスに塗料を含浸させることにより、堅牢で耐久性に優れて表裏に反転可能なライニングクロス管１０が形成される。
【００２６】
塗料を含浸したライニングクロス管１０は、その外周部を樹脂製チューブ１３で全長にわたって覆っている。ライニングクロス管１０の先端部１０ａは、樹脂製チューブ１３の先端部１３ａと一緒に索条体Ｇの先端部Ｇ１に対して解放可能に接続されている。索条体Ｇは、圧送管２０内を挿通して反転機１８の巻回部１８ａに巻き取られている。
反転工程では、ライニングクロス管１０を樹脂製チューブ１３の先端部１３ａと一緒に巻回部１８ａから繰り出し、ライニングクロス管１０の基端部１０ｂを樹脂製チューブ１３と一緒に配管６内に押し込み、裏返しに反転させて配管６に嵌め込む。
【００２７】
反転機１８からライニングクロス管１０にわたっては、遠隔操作カメラ（図示せず）が配置されており、索条体Ｇの移動量により配管６に対するライニングクロス管１０の繰出し態様をモニターＰにより監視できるようになっている。
圧力付与工程では、送風機３１の駆動圧によりライニングクロス管１０に配管６の奥行方向への移動力を付与して、ライニングクロス管１０を押圧する｛図１（ａ）の矢印Ｍ参照｝。
移動工程では、圧力付与工程で発生させた駆動圧により、裏返しに反転させたライニングクロス管１０の内周面を配管６の内壁６ａに密着させながら配管６の奥行方向に反転移動させる。これに伴い、樹脂製チューブ１３も反転し、反転後のライニングクロス管１０の内周面に接触した状態で進行する。
【００２８】
反転移動の終了時、索条体Ｇを巻回部１８ａに巻き取ることにより、図１（ａ）に矢印Ｎで示す方向に引き出して、ライニングクロス管１０の先端部１０ａおよび樹脂製チューブ１３の先端部１３ａに対する索条体Ｇの先端部Ｇ１の連結を解く。これに伴い、同図の二点鎖線で示すように、樹脂製チューブ１３の先端部１３ａが膨張してライニングクロス管１０の先端開口部１０Ａを自由にして配管６の終端内壁部６Ｄに密着させる。
【００２９】
硬化工程では、ボイラーや圧送装置（図示せず）などにより発生させたホットエアーなどを乾燥硬化のため配管６に送る。これにより、ライニングクロス管１０が裏返しになって配管６の内壁６ａに密着したライナー層７（例えば、２〜３ｍｍ程度の厚みで）を形成し、配管６内に生じた損傷部を塞いで更生補修を施す。反転した樹脂製チューブ１３は、ライナー層７の内周面に密着した内表層を形成する。
【００３０】
集合継手管６Ｃにおいては、図２（ａ）に示すように、ライニングクロス管１０および樹脂製チューブ１３のうち集合継手管６Ｃの内壁６ｄに軸方向全長にわたる長さＴの部分を軸長部分１０Ｅとしている。
除去工程では、軸長部分１０Ｅを配管６と集合継手管６Ｃとの境界箇所６ｆ、６ｇで切除して、集合継手管６Ｃの外部に取り出す。集合継手管６Ｃは、強度的に高く堅牢なため、内壁６ｄに対する更生補修用のライニング施工は省いてもよいということを前提としている。
【００３１】
具体的には、配管６内に挿入した送圧管３０およびノズル３０ａから成るカッター装置３０ｃを用いる。送圧管３０を矢印Ｊ方向に回転させながらノズル３０ａから噴射するジェット水流３０ｂを軸長部分１０Ｅに衝突させて軸長部分１０Ｅを境界箇所６ｆ、６ｇで切断した後、専用工具などを用いて軸長部分１０Ｅを集合継手管６Ｃの内壁６ｄから剥がす。
【００３２】
送圧管３０によるジェット水流３０ｂに代わって、図２（ｂ）に示すように、旋回軸３１ｃに丸鋸３１ｄを回転可能に連結したカッター装置３１ｅを変形例として設けてもよい。カッター装置３１ｅの作動時には、旋回軸３１ｃを矢印Ｊ１方向に回転させながら、丸鋸３１ｄを矢印Ｊ２方向に駆動し、丸鋸３１ｄの環状歯３１ｆにより軸長部分１０Ｅの境界箇所６ｆ（６ｇ）を切断する。
【００３３】
上記構成では、ライニングクロス管１０の軸長部分１０Ｅを切除して集合継手管６Ｃの外部に取り出しているので、軸長部分１０Ｅに起因して集合継手管６Ｃが詰まるなどの不都合を生じることなく、ライニング施工が可能となり、施工後の良好な給排水機能を損なうことなく維持することができる。
【００３４】
なお、軸長部分１０Ｅの内周部には、実施例１の変形例として予め剥離チューブを被覆状態に設けてもよい。これにより、反転移動の剥離チューブが軸長部分１０Ｅと集合継手管６Ｃの内壁６ｄとの間に介在するため、除去工程で軸長部分１０Ｅを切除により切り離し易くなる。
また、ライニングクロス管１０のうち軸長部分１０Ｅには、当初から塗料を含浸させない非付着部分としてもよい。反転後の軸長部分１０Ｅが集合継手管６Ｃの内壁６ｄに付着しないようになるため、上述の剥離チューブを設けた場合と同様な効果が得られる。
【実施例２】
【００３５】
図３は本発明の実施例２を示す。実施例２が実施例１と異なるところは、軸長部分１０Ｅにおいて、配管６と集合継手管６Ｃとの境界箇所６ｆ、６ｇに対応する部分に切離可能な細溝状の薄肉部６ｈ、６ｉを予め設けておいたことである｛図３（ａ）参照｝。軸長部分１０Ｅには、軸方向に沿って薄肉部６ｈ、６ｉに到る複数の薄肉部６ｊを予め設けている。樹脂製チューブ１３にも、薄肉部６ｈ、６ｉに対応する薄肉部（図示せず）とともに、薄肉部６ｊに対応する薄肉部１３ｊを形成している｛図３（ｂ）参照｝。
【００３６】
軸長部分１０Ｅの内周部には、予め熱収縮性の締付チューブ３２を接触状態に設けておき、ライニングクロス管１０の反転移動に伴い、締付チューブ３２が反転し、集合継手管６Ｃの内壁６ｄに当接しながら軸長部分１０Ｅの外周部を接触状態に覆う。
【００３７】
ライニングクロス管１０の施工後、締付チューブ３２を熱湯などで加温することにより、締付チューブ３２自体が収縮変位する。このため、軸長部分１０Ｅが締付チューブ３２から径方向の収縮圧を受けて薄肉部６ｈ、６ｉ、６ｊ（１３ｊ）で圧潰する｛図３（ｃ）参照｝。
圧潰した軸長部分１０Ｅは、集合継手管６Ｃから締付チューブ３２に包まれて配管６の外部に取り出される。圧潰して締付チューブ３２に包まれた軸長部分１０Ｅは、捕獲ネット（図示せず）により配管６の外部に運び出すようにしてもよい。
【００３８】
なお、軸長部分１０Ｅの内周部には、実施例１の変形例で述べたように、予め剥離チューブを被覆状態に設けてもよい。また、ライニングクロス管１０のうち軸長部分１０Ｅには、当初から塗料を含浸させない非付着部分としてもよい。
【実施例３】
【００３９】
図４および図５は本発明の実施例３を示す。実施例３が実施例１と異なるところは、ライニングクロス管１０のうち集合継手管６Ｃの長さＴに相当する部分を予め切除したことである（除去工程）。このため、図４に示すように、ライニングクロス管１０のうち軸長部分１０Ｅの長さＴに相当する部分は空白になって切除部１０Ｄを形成している。
【００４０】
ライニングクロス管１０を配管６内で反転移動させた後、集合継手管６Ｃの長さＴに相当する樹脂製チューブ１３を切除して集合継手管６Ｃから外部に搬出する｛図５参照｝。
【実施例４】
【００４１】
図６および図７は本発明の実施例４を示す。実施例４が実施例１と異なるところは、ライニングクロス管１０を省略し、樹脂製チューブ１３により配管６の内壁６ａにライニング施工を行うようにしたことである｛図６参照｝。
樹脂製チューブ１３の外周部には、接着剤が全体的に塗布されており、樹脂製チューブ１３が反転移動する際、反転した樹脂製チューブ１３が配管６の内壁６ａに密着状態に固定されてライナー層１４を形成する。図７に示す除去工程では、樹脂製チューブ１３のうち集合継手管６Ｃに対応する長さＴの軸長部分１３Ｆを切除し、集合継手管６Ｃの内壁６ｄから剥がして外部に運び出す。
【００４２】
この場合、樹脂製チューブ１３がライニングクロス管１０の役割を果たし、除去工程では、樹脂製チューブ１３の軸長部分１３Ｆを切除して集合継手管６Ｃの外部に取り出しているので、軸長部分１３Ｆに起因して集合継手管６Ｃが詰まるなどの不都合を生じることなく、ライニング施工が可能となり、施工後の良好な給排水機能を損なうことなく維持することができる。
【００４３】
樹脂製チューブ１３の外周部のうち集合継手管６Ｃの長さＴに対応する軸長部分１３Ｆは、非付着部分として接着剤を塗布しなくてもよい。この場合、軸長部分１３Ｆは、反転時に集合継手管６Ｃの内壁６ｄに固着しないため、軸長部分１３Ｆが集合継手管６Ｃの内壁６ｄから取り外し易くなる。
【実施例５】
【００４４】
図８は本発明の実施例５を示す。実施例５が実施例４と異なるところは、樹脂製チューブ１３の軸長部分１３Ｆに、集合継手管６Ｃの整流部や旋回羽根６ｅに対応する切込みスリット部３３を形成したことである。
【００４５】
樹脂製チューブ１３に切込みスリット部３３を形成しているので、樹脂製チューブ１３を集合継手管６Ｃ内で反転移動させる際、樹脂製チューブ１３の切込みスリット部３３が整流部や旋回羽根６ｅを通過させるようになる。このため、整流部や旋回羽根６ｅが邪魔になることなく、樹脂製チューブ１３が集合継手管６Ｃの内壁６ｄに密着するようになり、施工後に樹脂製チューブ１３により集合継手管６Ｃが詰まるなどの不都合を生じることがなくなる。
実施例５では、樹脂製チューブ１３により集合継手管６Ｃの内壁６ｄにも整流部や旋回羽根６ｅを避けて、ライニング施工を行うことができる点で有用である。
【実施例６】
【００４６】
図９は本発明の実施例６を示す。実施例６が実施例４と異なるところは、樹脂製チューブ１３内に織布製チューブ３５を重ねて設けたことである。
すなわち、樹脂製チューブ１３と一緒に反転する織布製チューブ３５が同心的に配置され、織布製チューブ３５の内周面３５ａおよび外周面３５ｂに粘着剤（図示せず）が塗布されている。
【００４７】
この場合、織布製チューブ３５の外周面３５ｂは、樹脂製チューブ１３の内周面１３ｅに付着保持されており、反転時に織布製チューブ３５の内周面３５ａは、配管６の内壁６ａに付着するため、樹脂製チューブ１３を織布製チューブ３５により配管６の内壁６ａに強固に密着保持することができる。
織布製チューブ３５は、粘着性液剤に浸漬することにより、粘着剤が内周面３５ａと外周面３５ｂとの両面に塗布されるようにしてもよい。
【００４８】
（変形例）
（ａ）実施例１では、軸長部分１０Ｅを切断する際、カッター装置３０ｃ、３１ｅを用いたが、カッター装置３０ｃのジェット水流３０ｂやカッター装置３１ｅの丸鋸３１ｄに限らず、駆動ナイフやブレード鋏部を有するカッターを使用してもよい。
（ｂ）実施例１ないし実施例５で用いられた集合継手管６Ｃは、給排水管用のものばかりでなく空調ダクトや排気ダクト（工業ダクト、厨房ダクト）などに適用してもよい。
【産業上の利用可能性】
【００４９】
本発明の配管ライニング方法によれば、集合継手管を含む配管に、ライニングクロス管や樹脂製チューブを用いてライニング施工する場合でも、集合継手管が詰まるなどの不都合を生じることなく、ライニング施工が可能となり、施工後の良好な給排水機能を維持することが可能となる。集合継手管を含む配管への合理的な施工性に着目して需要が増大し、施工用の塗料や部品などの流通を介して化学・機械業界に適用することができる。
【符号の説明】
【００５０】
６      配管
６Ａ    上部集合管
６Ｂ    下部集合管
６Ｃ    集合継手管
６ａ    配管の内壁
６ｄ    集合継手管の内壁
６ｈ、６ｉ、６ｊ  薄肉部
６ｅ    集合継手管内の旋回羽根（突出部）
６ｆ、６ｇ  境界箇所
７、１４  ライナー層
１０    ライニングクロス管
１０Ｄ  切除部
１０Ｅ  ライニングクロス管の軸長部分（非付着部分）
１３    樹脂製チューブ
１３Ｆ  樹脂製チューブの軸長部分（非付着部分）
１３ｅ  樹脂製チューブの内周面
１３ｊ  薄肉部
３２    締付チューブ
３３    切込みスリット部
３５    織布製チューブ
３５ａ  織布製チューブの内周面
３５ｂ  織布製チューブの外周面
Ｇ      索条体
Ｇ１    索条体の先端部
Ｔ      集合継手管の長さ（軸長部分の長さ）
【図１】
2010167688.tif 000003
【図２】
2010167688.tif 000004
【図３】
2010167688.tif 000005
【図４】
2010167688.tif 000006
【図５】
2010167688.tif 000007
【図６】
2010167688.tif 000008
【図７】
2010167688.tif 000009
【図８】
2010167688.tif 000010
【図９】
2010167688.tif 000011